(57)【特許請求の範囲】
【請求項１】
本体と、本体の前面に設けた持ち手を有する扉と、扉を開けるために手前に引くときに支点となる回転軸と、前記回転軸を支える軸受けと、前記軸受けに直結するとともに前記扉が開ききった時に押し下げられるスイッチと、前記スイッチと前記回転軸を上方に付勢するばねとを備え、前記扉が開ききった時には前記扉を前記本体側に押すと前記扉が前記本体内部の下側へ収納されるオーブントースタ。
【請求項２】
本体と、本体の前面に設けた持ち手を有する扉と、扉を開けるために手前に引くときに支点となる回転軸と、前記回転軸を支える軸受けと、前記軸受けに直結するとともに前記扉が開ききった時に押し下げられるスイッチと、前記スイッチと前記回転軸を上方に付勢するばねと、扉を開閉する時の扉の動きをガイドしかつ扉を閉じた時に扉を支える爪とを備え、前記扉が開ききった時には前記扉を前記本体側に押すと前記扉が前記本体内部の下側へ収納されるオーブントースタ。
【発明の詳細な説明】
【０００１】
【産業上の利用分野】
本発明は、一般家庭で使用するオーブントースタに関するものである。
【０００２】
【従来の技術】
オーブントースタは例えばパンをトーストしたり、グラタンに焦げ目を付けたりするときに使用される便利な調理器である。
【０００３】
【発明が解決しようとする課題】
従来のオーブントースタは、材料の出し入れをする際に扉を開くと、開いた扉が本体に対して１８０゜を超える角度で手前に位置しているものである。このため、例えば材料の出し入れの時に熱くなった扉に手や腕が触れてやけどをしたり、扉に触れたときに反射的に手を動かして材料を崩したり落としてしまったりすることもある。また扉は１８０゜を超える角度で開いており、扉上に取り出した材料や入れる材料を置くということはできないものとなっている。
【０００４】
本発明はこのような従来の構成が有している課題を解決するもので、扉を本体内部の下側に収納することができるオーブントースタを提供することを第一の目的としている。また、前記第一の目的を達成する第二の手段を提供することを第二の目的としている。
【０００５】
【課題を解決するための手段】
第一の目的を達成するための本発明の第一の手段は、本体と、本体の前面に設けた持ち手を有する扉と、扉を開けるために手前に引くときに支点となる回転軸と、前記回転軸を支える軸受けと、前記軸受けに直結するとともに前記扉が開ききった時に押し下げられるスイッチと、前記スイッチと前記回転軸を上方に付勢するばねとを備え、前記扉が開ききった時には前記扉を前記本体側に押すと前記扉が前記本体内部の下側へ収納されるオーブントースタとするものである。
【０００６】
第二の目的を達成するための本発明の第二の手段は、本体と、本体の前面に設けた持ち手を有する扉と、扉を開けるために手前に引くときに支点となる回転軸と、前記回転軸を支える軸受けと、前記軸受けに直結するとともに前記扉が開ききった時に押し下げられるスイッチと、前記スイッチと前記回転軸を上方に付勢するばねと、扉を開閉する時の扉の動きをガイドしかつ扉を閉じた時に扉を支える爪とを備え、前記扉が開ききった時には前記扉を前記本体側に押すと前記扉が前記本体内部の下側へ収納されるオーブントースタとするものである。
【０００７】
【作用】
本発明の第一の手段は、使用者が扉を開いている間は、扉は軸受けに支えられた回転軸を支点に本体の手前側に倒れ、倒れ切った位置でスイッチを押した状態となって、軸受けが下に下がって扉が本体内部へ収納できるようになるものである。
【０００８】
また本発明の第二の手段は、本体に設けている爪が扉を開閉するときに扉の動きをガイドして、本体内部への扉の収納がより滑らかにできるオーブントースタとして作用するものである。
【０００９】
【実施例】
以下本発明の第一の手段の実施例について、図１に基づいて説明する。オーブントースタは、本体１と本体１の前面に取り付けている扉２によって構成している。扉２には、上部に扉２を開閉するための持ち手３を設けている。扉２の下部は、本体１に設けている回転軸４によって回転自在に軸支されている。この回転軸４は、軸受け５によって支持されている。更に軸受け５はスイッチ６に直結しており、軸受け５とスイッチ６とはばね７によって上方に付勢されている。
【００１０】
本体１内には、材料を載置する焼き網８と、本体底部１０との間に設けている溝９を設けている。また１１は、本体１の足である。
【００１１】
以下本実施例の動作について、図２に基づいて説明する。扉２を開けるため持ち手３をもって手前に引くと、図２（ｂ）に示しているように扉２は軸受け５に支えられた回転軸４を支点に手前下側に開く。扉２が開ききったときには、図２（ｃ）に示しているように、ばね７の付勢力に打ち勝って扉２はスイッチ６を押し下げ、このスイッチ６と連動している軸受け５も押し下げるものである。軸受け５が下に下がると回転軸４を固定するものがなくなるもので、この状態で扉２を本体１側に押すと、図２（ｄ）に示しているように、回転軸４は溝９に沿って内部に移動し、扉２は本体１内部の下側に収納される。
【００１２】
扉２を閉じるときには、一旦扉２を手前に引き出して上にあげるものである。つまり扉２を手前に引き出した状態で上にあげると、扉２に押されていたスイッチ６が、ばね７に押されて戻り、同時に軸受け５もばね７に押されて戻るものである。従って軸受け５が再び回転軸４を支え、扉２は回転軸４を支点に回転して閉まるものである。
【００１３】
以上のように本実施例によれば、扉２を開いた場合に扉２を本体１内に収納することができ、あるいは扉２を本体１に対して１８０゜の角度で固定することもできるものである。従って従来のオーブントースタで問題となっていた扉２が邪魔になるという課題を解決できるものである。また、本体１に対して１８０゜の角度で固定して使用すれば、扉２を材料を一時的に置く置き台として活用することもできるものである。
【００１４】
尚本実施例では、扉２が開き切ったときに回転軸４を支える軸受け５をスイッチ６を押すことによって押し下げて軸受け５を回転軸４から離すようにしているが、例えばスイッチ６をなくして扉２が開き切ったところで回転軸４が自由になるような構成としてもよいものである。
【００１５】
次に、本発明の第二の手段の実施例について図３に基づいて説明する。本実施例では本体１の底部に、扉を開閉する時の扉の動きをガイドしかつ扉を閉じたときに扉を支える爪２１を設けている。前記以外の構成については、前記実施例と同一であり説明を省略する。
【００１６】
以下本実施例の動作について、図４に基づいて説明する。扉２を開けるために持ち手３をもって手前に引くと、図４（ｂ）に示しているように扉２は本体１の手前側に倒れてくる。扉２がある程度の角度に達すると本体の底部に設けている爪２１が、図４（ｃ）に示しているように、扉２の動きをガイドするものである。こうして扉２は爪２１に沿って傾きを変えながら、図４（ｄ）に示しているように本体１の内部に収納されていくものである。このとき扉２を本体１内部に収納しきった状態では、扉２の端部が爪２１よりも外側に出ているものである。扉２を閉じるときは、前記扉２の端部を持って扉２を手前に引き出して、引き上げるものである。このときも、爪２１によって扉２の動きはガイドされ、前記実施例と同様、扉２に押されていたスイッチ６が、ばね７に押されて戻り、同時に軸受け５もばね７に押されて戻るものである。従って軸受け５が再び回転軸４を支え、扉２は回転軸４を支点に回転して閉まるものである。
【００１７】
以上のように本実施例によれば、爪２１によって扉２１の動きがより滑らかなものとなって開閉操作が滑らかなもので、また扉２開くときに爪２１を利用して扉２の開く角度をある程度調節することが可能であり、使い勝手の良いオーブントースタを実現するものである。
【００１８】
【発明の効果】
本発明の第一の手段は、本体と、本体の前面に設けた持ち手を有する扉と、扉を開けるために手前に引くときに支点となる回転軸と、前記回転軸を支える軸受けと、前記軸受けに直結するとともに前記扉が開ききった時に押し下げられるスイッチと、前記スイッチと前記回転軸を上方に付勢するばねとを備え、前記扉が開ききった時には前記扉を前記本体側に押すと前記扉が前記本体内部の下側へ収納される構成として、扉を本体内部の下側に収納することができるオーブントースタを提供できるものである。
【００１９】
また本発明の第二の手段は、本体と、本体の前面に設けた持ち手を有する扉と、扉を開けるために手前に引くときに支点となる回転軸と、前記回転軸を支える軸受けと、前記軸受けに直結するとともに前記扉が開ききった時に押し下げられるスイッチと、前記スイッチと前記回転軸を上方に付勢するばねと、扉を開閉する時の扉の動きをガイドしかつ扉を閉じた時に扉を支える爪とを備え、前記扉が開ききった時には前記扉を前記本体側に押すと前記扉が前記本体内部の下側へ収納される構成として、扉の開閉操作がより滑らかで、扉を本体内部の下側に収納することができるオーブントースタを提供できるものである。
【図面の簡単な説明】
【図１】  本発明の第一の手段の実施例であるオーブントースタを示す構成図
【図２】  同、扉の動きを説明する説明図
【図３】  本発明の第二の手段の実施例であるオーブントースタを示す構成図
【図４】  同、扉の動きを説明する説明図
【符号の説明】
１  本体
２  扉
３  持ち手
４  回転軸
５  軸受け
６  スイッチ
７  ばね
２１  爪
【図１】
0003728761.tif 000002
【図２】
0003728761.tif 000003
【図３】
0003728761.tif 000004
【図４】
0003728761.tif 000005